(57)【要約】【課題】リントのフィルタへの付着による風量低下をなくし、乾燥性能を向上させるとともに、リント収容部をコンパクトにする。【解決手段】風路１６に配設された乾燥フィルタ装置２１に、乾燥用空気が通過するフィルタ部２１ｂと、フィルタ部２１ｂで捕集したリントをフィルタ部２１ｂから除去するリント除去装置２２と、フィルタ部２１ｂから除去したリントを収容するリント収容部２３を設け、リント除去装置２２は、螺旋部の外周縁をフィルタ部２１ｂの内面に当接して回転駆動し、フィルタ部２１ｂからリントを除去してリント収容部２３へと移送するリント移送体２２ａを有し、リント収容部２３は、フィルタ部２１ｂ側を開口して箱状に形成され、かつ、リント移送方向の略全域に亘って通気部２１ｆを有し、通気部２１ｆは、フィルタ部２１ｂと略同円弧に形成したものである。【選択図】図８
2014076229.tif 000002
【特許請求の範囲】
【請求項１】
衣類等の乾燥対象を収容する乾燥室と、
前記乾燥室内に乾燥用空気を供給する送風手段と、
前記乾燥室から乾燥用空気を排出する風路と、
前記風路に配設され乾燥用空気に含まれるリントを捕集する乾燥フィルタ装置とを備え、
前記乾燥フィルタ装置は、
乾燥用空気が通過するフィルタ部と、
前記フィルタ部で捕集したリントを前記フィルタ部から除去するリント除去装置と、
前記フィルタ部から除去したリントを収容するリント収容部とを有し、
前記リント除去装置は、
螺旋部の外周縁を前記フィルタ部の内面に当接して回転駆動し、前記フィルタ部からリントを除去して前記リント収容部へと移送するリント移送体を有し、
前記リント収容部は、前記フィルタ部側を開口して箱状に形成され、かつ、リント移送方向に亘って通気部を有し、
前記通気部は、前記フィルタ部と略同円弧に形成した
衣類乾燥機。
【請求項２】
フィルタ部を部分円弧状に形成し、前記フィルタ部とリント収容部との間にリントが前記フィルタ部から前記リント収容部側へと移送する際に通過する開口部を有する仕切り体を設けた
請求項１記載の衣類乾燥機。
【発明の詳細な説明】
【技術分野】
【０００１】
本発明は、衣類等の繊維製品の乾燥を行う衣類乾燥機に関するものである。
【背景技術】
【０００２】
従来、この種の衣類乾燥機は、衣類等の繊維製品から発生したリントが乾燥用空気に混入し、循環風路内に設けた送風手段等に付着堆積して機能を低下させる原因となるため、循環風路に乾燥用空気からリントを捕集するリントフィルタが設けられている。乾燥運転の進行にともない、衣類等から分離したリントがフィルタに捕集されて堆積し、循環風路を通過する乾燥用空気の通風抵抗が増加して風量が低下することから、フィルタで捕集されたリントを取り除くことが考えられている（例えば、特許文献１参照）。
【０００３】
図１４は、特許文献１に記載された従来の衣類乾燥機のリントフィルタの構成を示したものである。図１４において、リントを捕集するフィルタ部１０１と、フィルタ部１０１に捕集されたリントを回収するリント収容部１０２と、フィルタ部１０１に捕集されたリントを掻き取り、リント収容部１０２に排出する排出手段を備えている。フィルタ部１０１は、風路１０３を循環する乾燥用空気の送風方向にほぼ直交した略半円筒状フィルタ１０４を有し、排出手段は、略半円筒状フィルタ１０４に内接した螺旋状線材１０５と、この螺旋状線材１０５を回転させるモータ１０６とで構成している。
【０００４】
風路１０３を流れる乾燥風の一部が、リント収容部１０２に設けられたリント回収箱１０７、バイパスフィルタ１０８、リント回収箱１０７を内包する枠体の開口部１０９、連通路１１０を通過して、フィルタ部１０１の下流側の風路１０３に流れる。
【０００５】
このように、略半円筒状フィルタ１０４で捕集されたリントは、螺旋状線材１０５によって掻き取られ、リント収容部１０２に排出されるため、略半円筒状フィルタ１０４がリントにより目詰まりして風量が低下し、乾燥性能が悪くなることを防止できる。
【０００６】
また、風路１０３を循環する空気の一部が、リント収容部１０２を通してフィルタ部１０１の下流側の風路１０３へ流れるようにしたことにより、風路１０３を流れる乾燥風の一部がバイパスしてリント収容部１０２内を通り、略半円筒状フィルタ１０４の下流側へと流れるため、螺旋状線材１０５によって掻き取られたリントは、風の流れに乗って、より確実にリント収容部１０２へと溜まる。そして、蓋部１１１を持ってリント回収箱１０７を引き抜くことにより、リントを廃棄することができるようにしている。
【０００７】
また、図１５に示すように、乾燥風に含まれるリントを捕集する円筒状に形成したフィルタ２０１の中に、螺旋形状のリント排出体２０２を設け、モータ２０３によりリント排出体２０２を回転させて捕集したリントを除去することが考えられている（例えば、特許文献２参照）。
【先行技術文献】
【特許文献】
【０００８】
【特許文献１】特開２００８−６０４５号公報
【特許文献２】特開２００６−１０２３４６号公報
【発明の概要】
【発明が解決しようとする課題】
【０００９】
しかしながら、前記従来の構成では、バイパスフィルタ１０８は、リント収容部１０２に排出されて堆積するリントによって目詰まりが生じ、この目詰まりを解消させる手段を持たないため、リント収容部１０２を通って連通路１１０へと抜ける風はすぐに滞留してしまう。このため、新たに螺旋状線材１０５によって掻き取られ、移送されたリントは、螺旋状線材１０５のリント収容部１０２側端部に来た瞬間に、バイパスフィルタ１０８側へと引っ張られる風の力よりも、略半円筒状フィルタ１０４側へと引っ張られる風の力の影響をより強く受け、再び略半円筒状フィルタ１０４側へと戻って付着し、風量が減少して乾燥性能が低下するという課題があった。また、バイパスフィルタ１０８は、すぐに目詰まりを起こすため、リント収容部１０２内に溜まるリントを圧縮するような風の力も働かなくなるため、リントをコンパクトにすることができず、リント収容部１０２自体も大型化するという課題があった。
【００１０】
本発明は、前記従来の課題を解決するもので、フィルタに捕集したリントによる風量低下をなくして、乾燥性能の低下を防止するとともに、リント収容部をコンパクトにした衣類乾燥機を提供することを目的としている。
【課題を解決するための手段】
【００１１】
前記従来の課題を解決するために、本発明の衣類乾燥機は、風路に配設され乾燥用空気に含まれるリントを捕集する乾燥フィルタ装置を備え、前記乾燥フィルタ装置は、乾燥用空気が通過するフィルタ部と、前記フィルタ部で捕集したリントを前記フィルタ部から除去するリント除去装置と、前記フィルタ部から除去したリントを収容するリント収容部とを有し、前記リント除去装置は、螺旋部の外周縁を前記フィルタ部の内面に当接して回転駆動し、前記フィルタ部からリントを除去して前記リント収容部へと移送するリント移送体を有し、前記リント収容部は、前記フィルタ部側を開口して箱状に形成され、かつ、リント移送方向に亘って通気部を有し、前記通気部は、前記フィルタ部と略同円弧に形成したものである。
【００１２】
これによって、フィルタ部からリント収容部へと移送されたリントは、螺旋部近傍に位置する通気部に一旦吸着された後、新たに移送されてくるリントによって押しのけられる。押しのけられたリントは、螺旋部による移送方向と同方向に順次リント収容部内を移動していくことになる。このとき、通気部は、リント収容部のリント移送方向に亘って存在しているため、常に通気部から風による吸着力を受け続ける。また、通気部が完全にリントで覆われたとしても、螺旋部近傍では、リントが押しのけられるため、新たに移送されてきたリントは確実に通気部に吸着される。このため、リント収容部内のリントがフィルタ部側へと引っ張られる風の力によってフィルタ部へと戻ることを防止でき、風量低下をなくして乾燥性能の低下を防止することができる。また、リントはリント収容部のリント移送方向に亘って存在する通気部から風による吸着力を受けながら、螺旋部から押され続けるため、リント収容部内でリントは圧縮され、リント収容部自体をコンパクトにすることができる。
【発明の効果】
【００１３】
本発明の衣類乾燥機は、リントのフィルタへの付着による風量低下をなくし、乾燥性能を向上させることができるとともに、リント収容部をコンパクトにすることができる。
【図面の簡単な説明】
【００１４】
【図１】本発明の実施の形態１における衣類乾燥機の要部断面図
【図２】同衣類乾燥機の外観斜視図
【図３】同衣類乾燥機の乾燥フィルタ装置の背面側斜視図
【図４】同衣類乾燥機の乾燥フィルタ装置の正面側斜視図
【図５】同衣類乾燥機の乾燥フィルタ装置の背面図
【図６】同衣類乾燥機の乾燥フィルタ装置の正面図
【図７】同衣類乾燥機の図６のＡ−Ａ断面図
【図８】同衣類乾燥機の図６のＢ−Ｂ断面図
【図９】同衣類乾燥機の図６のＣ−Ｃ断面図
【図１０】同衣類乾燥機の図６のＤ−Ｄ断面図
【図１１】同衣類乾燥機の図８のＥ１部の拡大図
【図１２】同衣類乾燥機の図８のＥ２部の拡大図
【図１３】本発明の実施の形態２における衣類乾燥機の乾燥フィルタ装置の正面側斜視図
【図１４】従来の衣類乾燥機のリントフィルタの構成図
【図１５】同衣類乾燥機の他の例のリントフィルタの構成図
【発明を実施するための形態】
【００１５】
第１の発明は、衣類等の乾燥対象を収容する乾燥室と、前記乾燥室内に乾燥用空気を供給する送風手段と、前記乾燥室から乾燥用空気を排出する風路と、前記風路に配設され乾燥用空気に含まれるリントを捕集する乾燥フィルタ装置とを備え、前記乾燥フィルタ装置は、乾燥用空気が通過するフィルタ部と、前記フィルタ部で捕集したリントを前記フィルタ部から除去するリント除去装置と、前記フィルタ部から除去したリントを収容するリント収容部とを有し、前記リント除去装置は、螺旋部の外周縁を前記フィルタ部の内面に当接して回転駆動することで前記フィルタ部からリントを除去して前記リント収容部へと移送し、前記リント収容部は、前記フィルタ部側を開口して箱状に形成され、かつリント移送方向に亘って通気部を有し、前記通気部は、前記フィルタ部と略同円弧に形成したことにより、フィルタ部からリント収容部へと移送されたリントは、螺旋部近傍に位置する通気部に一旦吸着された後、新たに移送されてくるリントによって押しのけられる。押しのけられたリントは、螺旋部による移送方向と同方向に順次リント収容部内を移動していくことになる。このとき、通気部は、リント収容部のリント移送方向に亘って存在しているため、常に通気部から風による吸着力を受け続ける。また、通気部が完全にリントで覆われたとしても、螺旋部近傍では、リントが押しのけられるため、新たに移送されてきたリントは確実に通気部に吸着される。このため、リント収容部内のリントがフィルタ部側へと引っ張られる風の力によってフィルタ部へと戻ることを防止でき、風量低下をなくして乾燥性能の低下を防止することができる。また、リントはリント収容部のリント移送方向に亘って存在する通気部から風による吸着力を受けながら、螺旋部から押され続けるため、リント収容部内でリントは圧縮され、リント収容部自体をコンパクトにすることができる。
【００１６】
第２の発明は、特に、第１の発明において、フィルタ部を部分円弧状に形成し、前記フィルタ部とリント収容部との間にリントが前記フィルタ部から前記リント収容部側へと移送する際に通過する開口部を有する仕切り体を設けたことにより、リント収容部に貯められたリントが溢れてフィルタ部に戻ることを確実に防止でき、風量の低下を防止することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における衣類乾燥機の要部断面図、図２は、同衣類乾燥機の外観斜視図、図３は、同衣類乾燥機の乾燥フィルタ装置の背面側斜視図、図４は、同衣類乾燥機の乾燥フィルタ装置の正面側斜視図（駆動モータ非表示）、図５は、同衣類乾燥機の乾燥フィルタ装置の背面図、図６は、同衣類乾燥機の乾燥フィルタ装置の正面図、図７は、図６のＡ−Ａ断面図、図８は、図６のＢ−Ｂ断面図、図９は、図６のＣ−Ｃ断面図、図１０は、図６のＤ−Ｄ断面図、図１１は、図８のＥ１部の拡大図、図１２は、図８のＥ２部の拡大図である。
【００１９】
図１〜図１２において、外槽（乾燥室）１は、衣類乾燥機の本体２の内部で複数のサスペンション機構３により弾性的に支持されている。ドラム４は、正面側に洗濯物５を出し入れする投入口６を有し、有底筒状に構成されて外槽１内に配設されている。ドラム４は、ドラム回転軸４ａで回転可能に設けられて洗濯物５を収容するものであり、ドラム４の周側壁７には複数の排出孔８を設けている。また、ドラム４の周側壁７の内面には、洗濯物５をドラム４の回転方向へ持ち上げるための攪拌バッフル９を内方へ突設している。外槽１とドラム４とドラム回転軸４ａは、水平に対して角度θ（例えば２０°）で前上がりに傾けて配置されている。
【００２０】
外槽１の背面外部にドラム４を回転駆動するモータ１０を設け、ドラム回転軸４ａを介してドラム４を正逆回転させるようになっている。モータ１０はブラシレス直流モータで構成され、インバータ制御によって回転速度が自在に変化させることができるようになっている。本体２の前面には投入口６を開閉する扉１１が設けられている。投入口６と対向する外槽１の開口部１２は、伸縮自在な可撓性のパッキン１３によって本体２と気密を確保して連結されている。
【００２１】
乾燥用空気をドラム４に供給する送風機（送風手段）１４を本体２内の背面側上部に設け、加熱手段１５を送風機１４の下流側に設けている。送風機１４および加熱手段１５は循環風路（風路）１６に設けられている。循環風路１６の下流側の出口は、外槽１の背面に設けられた送風口１７と連通接続し、上流側の入口は、外槽１の周側壁７の上方前部に設けられた排気口１８と連通接続している。
【００２２】
ドラム４の排出孔８から外槽１内に排出された乾燥用空気は、排気口１８から循環風路１６に入り、送風機１４で送風された乾燥用空気は、加熱手段１５を通過して加熱された後、送風口１７からドラム４内に導入され循環する構成になっている。図１の矢印イは乾燥用空気の流れを示している。
【００２３】
循環風路１６には、乾燥用空気を除湿するため冷却水を供給する冷却水供給部１９と、冷却水供給部１９から供給される冷却水によって冷却される熱交換器２０と、乾燥用空気に含まれるリントを捕集する乾燥フィルタ装置２１が設けられている。ドラム４内で洗濯物５と接触し多湿になった乾燥用空気は、熱交換器２０で冷却されて除湿される。冷却水および除湿された水は、本体２外に排出される。
【００２４】
乾燥フィルタ装置２１は、送風機１４と熱交換器２０の風上側に設けられており、洗濯物５から発生した乾燥用空気に含まれるリントを捕集することで、熱交換器２０および送風機１４にリントが付着し堆積することによる不具合を防止する。送風機１４は、送風機１４を駆動するファンモータ１４ａと、ファンモータ１４ａの電流値を測定するモータ電流計測装置１４ｂを具備している。
【００２５】
乾燥フィルタ装置２１は、乾燥用空気を導入する導入部２１ａと、導入部２１ａから導入された乾燥用空気からリントを捕集するフィルタ部２１ｂと、フィルタ部２１ｂで捕集したリントをフィルタ部２１ｂから除去するリント除去装置２２と、フィルタ部２１ｂから除去したリントを収容するリント収容部２３を有している。
【００２６】
フィルタ部２１ｂは、略円弧状に形成された第１メッシュ部２１ｅを備え、この第１メッシュ部２１ｅを乾燥用空気が通過する際に、乾燥用空気に含まれるリントが乾燥フィルタ装置２１に捕集される。
【００２７】
リント除去装置２２は、第１メッシュ部２１ｅに沿って外周縁が内接する螺旋形状のリント移送体２２ａと、従属ギア２２ｂとがリント移送体２２ａの第１の端部２８ａ側で連結して構成している。従属ギア２２ｂは、組立てのために分割された２部品がビスによって一体化された形となっている。
【００２８】
リント移送体２２ａと従属ギア２２ｂとの連結部の断面形状はＹ字形状であり、リント移送体２２ａと従属ギア２２ｂとの間には、第１の隙間２２ｃを全周に設けている。リント移送体２２ａは樹脂で成型されている。
【００２９】
リント移送体２２ａの第１の端部２８ａおよび、その反対側である第２の端部２８ｂ近傍には、それぞれ第１の軸受け２１ｇおよび第２の軸受け２１ｈが構成される。第２の軸受け２１ｈとリント移送体２２ａとの間には、第１の端部２８ａ側に設けられている第１の隙間２２ｃと同じ寸法の第２の隙間２２ｄが設けられている。
【００３０】
リント収容部２３は、リント移送体２２ａの第２の端部２８ｂに隣接して設けられ、リント移送体２２ａによって掻き取られたリント２７は、Ｚ方向に移送され、リント収容部２３に至るように構成されている。リント収容部２３は、フィルタ部２１ｂ側に開口部２１ｄを有する箱を構成しており、掻き取られたリント２７を収容することができる。
【００３１】
リント収容部２３は、リント移送方向（Ｚ方向）の略全域に亘って第２メッシュ部（通気部）２１ｆが設けられており、第２メッシュ部２１ｆは、フィルタ部２１ｂの第１メッシュ部２１ｅと略同軸で、かつ、略同円弧状に形成されている。
【００３２】
乾燥フィルタ装置２１は、衣類乾燥機の本体２に対して矢印ロ方向に着脱可能に設け、上方へ取り外すようにしている。衣類乾燥機の本体２内には、リント除去装置２２を駆動するための駆動モータ２４と、駆動モータ回転軸２５の先端に取り付けられた駆動ギア２６を設けている。
【００３３】
乾燥フィルタ装置２１が衣類乾燥機の本体２に装着された際には、リント除去装置回転軸２２ｅは、本体モータ回転軸２５と平行であり、駆動モータ２４側から見て、リント除去装置回転軸２２ｅの左下方向に本体モータ回転軸２５、右方向に第１メッシュ部２１ｅとなる位置にそれぞれの回転軸は配設される。
【００３４】
リント除去装置２２を構成する従属ギア２２ｂは、乾燥フィルタ装置２１が衣類乾燥機の本体２に装着された際には駆動ギア２６と噛み合って連結し、駆動モータ２４の回転駆動をリント除去装置２２に伝達する。駆動モータ２４側から見た場合、リント除去装置回転軸２２ｅはモータ回転軸２５の右側となり、そのとき駆動ギア２６の回転方向は時計回りであり、リント除去装置２２の回転方向は反時計回りである（図７図中矢印参照）。リント移送体２２ａの螺旋形状は右ねじ方向となっている。
【００３５】
制御手段２９は、モータ１０、送風機１４、加熱手段１５等を制御し、乾燥運転を制御するとともに、モータ電流計測装置１４ｂで計測された電流値等が入力される。また、制御手段２９は、モータ電流計測装置１４ｂで計測された電流値から乾燥用空気の風量を検知する風量検知手段（図示せず）を内包している。リント除去装置２２の駆動時は、制御手段２９によって定格運転時より多い送風量で乾燥用空気を送風するようにしている。
【００３６】
以上のように構成された衣類乾燥機について、以下その動作、作用を説明する。乾燥行程では、ドラム４が濡れた洗濯物５を内部に保有して回転している。乾燥用空気は送風機１４によって送風され、加熱手段１５を通過した後、送気口１７を通ってドラム４内に導入される。
【００３７】
ドラム４内に導入された乾燥用空気は、濡れた洗濯物５と接触して洗濯物５から水分を奪った後、洗濯物５から発生したリント２７を含んでドラム４の排出孔８から排出され、外槽１に設けられた排気口１８から外槽１を出て循環風路１６に導入される。
【００３８】
循環風路１６に導入された乾燥用空気は、熱交換器２０に到達する前に乾燥フィルタ装置２１を通過してリント２７が除去され、熱交換器２０で冷却水によって除湿される。冷却除湿された乾燥用空気は、低温の乾いた空気となり、加熱手段１５を通過して高温の乾いた空気となって、送風口１７からドラム４内に導入される。
【００３９】
乾燥フィルタ装置２１で捕集したリント２７は、リント除去装置２２によって第１メッシュ部２１ｅから除去することができる。リント除去装置２２のリント移送体２２ａは、本体２内に配設された駆動モータ２４により、従属ギア２２ｂを介して回動し、第１メッシュ部２１ｅからリント２７を自動的に除去するので、フィルタ部２１ｂにリントが目詰まりして風量が低下し、乾燥性能が低下することを防止することができる。
【００４０】
このとき、送風機１４によって送風されている状態で駆動モータ２４を駆動するのであるが、リント移送体２２ａの螺旋形状外周縁は、第１メッシュ部２１ｅと内接しながら、第１メッシュ部２１ｅに吸着されたリント２７にラジアル方向とスラスト方向の力を与えてリントを掻き取る。掻き取られたリント２７は、リント移送体２２ａによるスラスト方向の力を受けて、第１メッシュ部２１ｅに吸着されながらリント除去装置回転軸２２ｅに沿う方向Ｚに移動していく。
【００４１】
リント移送体２２ａと従属ギア２２ｂとの連結部には、第１の隙間２２ｃを全周に設けてあり、第２の軸受け２１ｈとの間にも第２の隙間２２ｄを全周に設けているため、導入部２１ａから流入する乾燥用空気によって螺旋形状部分を介してリント移送体２２ａは第１メッシュ部２１ｅ側へ付勢されることとなり、たとえ乾燥フィルタ装置２１の構成部品寸法にばらつきが生じた場合、或いは、リント除去装置回転軸２２ｅや本体モータ回転軸２５にがたつきが生じた場合においても、リント移送体２２ａと第１メッシュ部２１ｅが確実に内接するため、リント移送性能は確保される。
【００４２】
また、第１メッシュ部２１ｅとリント移送体２２ａとの間にリント２７を噛み込んだ場合においても、第１の隙間２２ｃ、第２の隙間２２ｄの分だけリント移送体２２ａが第１メッシュ部２１ｅと反対側に変位し、逃げる余地を有しているため、駆動モータ２４のロックが回避でき、安全性を高めることができる。
【００４３】
ここで、リント収容部２３の第２メッシュ部２１ｆは、導入部２１ａおよび開口部２１ｄを介して、循環風路１６と連通しており、送風機１４の送風による送風経路となっている。
【００４４】
第１メッシュ部２１ｅに吸着されながら、リント移送体２２ａによってリント収容部２３側へと移送されてきたリント２７は、リント収容部２３では第１メッシュ部２１ｅによって吸着される力を失うが、第２の端部２８ｂ近傍において、第２メッシュ部２１ｆに吸着される。
【００４５】
リント移送体２２ａの軸方向に対して、第２メッシュ部２１ｆは、第１メッシュ部２１ｅの延長上に略同一円弧状に形成されるため、第２の端部２８ｂ近傍で第２メッシュ部２１ｆに吸着されたリントは、リント移送体２２ａによって新たに第１メッシュ部２１ｅ上を移送してくるリントによって押しのけられることになる。そして、順次リント収容部２３内をＺ方向に徐々に移動していくことになる。
【００４６】
このとき、第２メッシュ部２１ｆは、リント収容部２３のリント移送方向略全域に亘って存在しているため、リント２７は常に第２メッシュ部２１ｆから風による吸着力を受け続けることになる。これを繰り返していくと、いずれ、メッシュ部２１ｆが完全にリントに覆われることになるが、第２の端部２８ｂ近傍では、リント２７がリント移送体２２ａによって確実に押しのけられるため、新たに移送されてきたリント２７は確実に第２メッシュ部２１ｆに吸着される。
【００４７】
このため、リント収容部２３内のリント２７が、第１メッシュ部２１ｅ側へと引っ張られる風の力によってフィルタ部２１ｂへと戻ることを防止でき、風量低下をなくして乾燥性能の低下を防止することができる。
【００４８】
また、リント２７は、リント収容部２３のリント移送方向略全域に亘って存在する第２メッシュ部２１ｆから風による吸着力を受けながら、リント移送体２２ａから押され続けるため、リント収容部２３内でリントは圧縮され、リント収容部２３自体をコンパクトにすることができる。
【００４９】
（実施の形態２）
図１３は、本発明の第２の実施の形態における衣類乾燥機の乾燥フィルタ装置の正面側斜視図である。本実施の形態の特徴は、フィルタ部２１ｂとリント収容部２３との間に仕切り体３０を設けたものである。他の構成は実施の形態１と同じであり、同一の構成に同一の符号を付して、詳細な説明は実施の形態１のものを援用する。
【００５０】
図１３に示すように、フィルタ部２１ｂとリント収容部２３との間には仕切り体３０が設けられている。フィルタ部２１ｂの第１メッシュ部２１ｅは、部分円弧状に形成されており、仕切り体３０は、第１メッシュ部２１ｅ側に沿って一部開口したリントが通過する開口部２１ｄを有している。
【００５１】
リント移送体２２ａによって移送されるリント２７は、第１メッシュ部２１ｅ上に吸着された状態でリント収容部２３側へと移送されてくるが、この開口部２１ｄを通過してリント収容部２３内に収容されていく。フィルタ部２１ｂとリント収容部２３は、乾燥風の出口側である第１メッシュ部２１ｅとは反対側の導入部２１ａ側で仕切られている。
【００５２】
このような構成をとることにより、リント収容部２３内に貯められたリント２７の量が増えてきても、リント収容部２３から溢れてフィルタ部２１ｂに戻るのを仕切り体３０によって確実に防止できるので、風量の低下を確実に防止できる。
【産業上の利用可能性】
【００５３】
以上のように、本発明にかかる衣類乾燥機は、リントのフィルタへの付着による風量低下をなくし、乾燥性能を向上させることができるとともに、リント収容部をコンパクトにすることができるので、衣類乾燥機として有用である。
【符号の説明】
【００５４】
１    外槽（乾燥室）
１４  送風機（送風手段）
１６  循環風路（風路）
２１  乾燥フィルタ装置
２１ｂ  フィルタ部
２１ｄ  開口部
２１ｆ  第２メッシュ部（通気部）
２２  リント除去装置
２２ａ  リント移送体
２３  リント収容部
【図１】
2014076229.tif 000003
【図２】
2014076229.tif 000004
【図３】
2014076229.tif 000005
【図４】
2014076229.tif 000006
【図５】
2014076229.tif 000007
【図６】
2014076229.tif 000008
【図７】
2014076229.tif 000009
【図８】
2014076229.tif 000010
【図９】
2014076229.tif 000011
【図１０】
2014076229.tif 000012
【図１１】
2014076229.tif 000013
【図１２】
2014076229.tif 000014
【図１３】
2014076229.tif 000015
【図１４】
2014076229.tif 000016
【図１５】
2014076229.tif 000017